(57)【要約】【課題】一の収納袋に２枚の布団を容易に収納することができるとともに、各布団の収納あるいは取り出し作業に手間がかかることのない布団収納袋を提供する。【解決手段】各々独立した開閉蓋部１７，２７を備えた略直方体形状の第一収納部１１と第二収納部２１とを有し、前記第一収納部１１と第二収納部２１は、上面側の可撓性連接部３０を介して連接され、連接された上面部３１に把手部３２が形成されているとともに、下面側には着脱自在な止め部３５が設けられていることを特徴とする。【選択図】図１
0003118668.tif 000002
【実用新案登録請求の範囲】
【請求項１】
各々独立した開閉蓋部（１７，２７）を備えた略直方体形状の第一収納部（１１）と第二収納部（２１）とを有し、
前記第一収納部と第二収納部は、上面側の可撓性連接部（３０）を介して連接され、連接された上面部（３１）に把手部（３２）が形成されているとともに、下面側には着脱自在な止め部（３５）が設けられていることを特徴とする布団収納袋。
【請求項２】
前記第一収納部（１１）と第二収納部（２１）とは、それらの縦辺（ａ１，ａ２）と横辺（ｂ１，ｂ２）の長さを共通として、深さ方向に連接されている請求項１に記載の布団収納袋。
【請求項３】
前記第二収納部（２１）の深さ（ｃ２）は前記第一収納部（１１）の深さ（ｃ１）より小さく構成されている請求項２に記載の布団収納袋。
【請求項４】
前記開閉蓋部（１７，２７）が各収納部（１１、２１）の連接部と反対側の外面側に形成されている請求項１ないし３のいずれか１項に記載の布団収納袋。
【請求項５】
前記開閉蓋部が内部を透視可能な材料によって構成されている請求項４に記載の布団収納袋。
【考案の詳細な説明】
【技術分野】
【０００１】
本考案は、布団を収納するための収納袋に関し、特に２枚の布団を収納することができる布団収納袋に関する。
【背景技術】
【０００２】
一般に、布団を適宜整頓して保管する場合には、図４に図示のような、一面側に開閉蓋部１１７を備えた略直方体形状の収納部１１１からなる布団収納袋１００に、前記布団が折り畳んだ状態で収納される。この布団収納袋１００の収納部１１１は、裏板１１２と、側板１１３，１１４と、上板１１５と、下板１１６と、開閉蓋部１１７とによって略直方体形状に形成され、側板１１３，１１４及び上板１１５と開閉蓋部１１７との連結部分に形成されたジッパ部１１７ａによって前記開閉蓋部１１７が開閉自在に構成される。図中の符号１３２は上板１１５に設けられた把手部である。
【０００３】
この布団収納袋１００にあっては、上記の如く、前記布団を所定の大きさの略直方体形状に収納することによって、保管等の配置場所の面積が比較的小さく済み、前記布団を整頓して配置する際に好適に使用することができる。また、特に、前記布団を収納して当該布団収納袋を店頭に陳列した場合、整然と陳列することが可能となることに加え、前記布団の消費者が陳列された状態からそのまま持ち運ぶことも可能であるため、布団の店頭販売等で効果的に使用することができる。
【０００４】
ところで、従来の布団収納袋１００では、一の収納袋に１枚の布団を収納するように使用されることが大半であり、２枚の布団を収納しようとする場合には、前記収納部１１１に一方の布団を収納した後、他方の布団をそのまま重ねて収納するように使用されていた。このように、一の収納袋に２枚の布団を収納すると、２枚目の布団の収納が困難となって収納された布団の見栄えが悪くなりやすく、さらに、奥に収納した一方の布団を取り出す場合には、重ねられた他方の布団を取り出し、再度他方の布団を収納袋に収納し直す必要があって、非常に手間がかかってしまうという問題があった。
【考案の開示】
【考案が解決しようとする課題】
【０００５】
本考案は前記の点に鑑みなされたものであり、一の収納袋に２枚の布団を容易に収納することができるとともに、各布団の収納あるいは取り出し作業に手間がかかることのない布団収納袋を提供するものである。
【課題を解決するための手段】
【０００６】
すなわち、請求項１の考案は、各々独立した開閉蓋部（１７，２７）を備えた略直方体形状の第一収納部（１１）と第二収納部（２１）とを有し、前記第一収納部と第二収納部は、上面側の可撓性連接部（３０）を介して連接され、連接された上面部（３１）に把手部（３２）が形成されているとともに、下面側には着脱自在な止め部（３５）が設けられていることを特徴とする布団収納袋に係る。
【０００７】
請求項２の考案は、前記第一収納部（１１）と第二収納部（２１）とは、それらの縦辺（ａ１，ａ２）と横辺（ｂ１，ｂ２）の長さを共通として、深さ方向に連接されている請求項１に記載の布団収納袋に係る。
【０００８】
請求項３の考案は、前記第二収納部（２１）の深さ（ｃ２）は前記第一収納部（１１）の深さ（ｃ１）より小さく構成されている請求項２に記載の布団収納袋に係る。
【０００９】
請求項４の考案は、前記開閉蓋部（１７，２７）が各収納部（１１、２１）の連接部と反対側の外面側に形成されている請求項１ないし３のいずれか１項に記載の布団収納袋に係る。
【００１０】
請求項５の考案は、前記開閉蓋部が内部を透視可能な材料によって構成されている請求項４に記載の布団収納袋に係る。
【考案の効果】
【００１１】
請求項１の考案に係る布団収納袋によれば、各々独立した開閉蓋部を備えた略直方体形状の第一収納部と第二収納部とを有し、前記第一収納部と第二収納部は、上面側の可撓性連接部を介して連接され、連接された上面部に把手部が形成されているとともに、下面側には着脱自在な止め部が設けられているため、一の収納袋に２枚の布団を個別に収納することが可能であるとともに、各布団の収納や取り出しを極めて効率的かつ効果的に行うことができ、加えて、持ち運びも容易であり、保管等の整頓して配置する際にも好適に使用することができる。したがって、極めて実用性の高い布団収納袋を提供することができる。
【００１２】
請求項２の考案によれば、請求項１において、前記第一収納部と第二収納部とは、それらの縦辺と横辺の長さを共通として、深さ方向に連接されているため、当該布団収納袋を保管等により適した形状に構成することができる。
【００１３】
請求項３の考案によれば、請求項２において、前記第二収納部の深さは前記第一収納部の深さより小さく構成されているため、前記各収納部に、それぞれ異なる厚さの布団を好適に収納することが可能となり、布団の販売促進や季節に応じた布団の収納あるいは取り出しが容易になる等の実用性をより向上させることができる。
【００１４】
請求項４の考案によれば、請求項１ないし３において、前記開閉蓋部が各収納部の連接部と反対側の外面側に形成されているため、各収納部の布団の収納や取り出しを極めて効率よく行うことができる。
【００１５】
請求項５の考案によれば、請求項４において、前記開閉蓋部が内部を透視可能な材料によって構成されているため、収納されている各布団を容易に確認することができ、店頭販売に極めて好適に用いることができる。
【考案を実施するための最良の形態】
【００１６】
以下添付の図面に従ってこの考案を詳細に説明する。
図１は本考案の一実施例に係る布団収納袋の斜視図、図２は図１の布団収納袋の側面図、図３は図１の布団収納袋の第一収納袋と第二収納袋との拡開状態の斜視図である。
【００１７】
図１及び図２に示す本考案の一実施例に係る布団収納袋１０は、各々独立した開閉蓋部１７，２７を備えた略直方体形状の第一収納部１１と第二収納部２１とを有する。実施例の布団収納袋１０は、布あるいは合成樹脂等の可撓性材料によって構成されている。図において、符号１２は第一収納部１１の裏板、１３，１４は第一収納部１１の側板、１５は第一収納部１１の上板、１６は第一収納部１１の底板、１７ａは開閉蓋部１７の側板１３，１４側及び上板１５側を開閉自在とするジッパ部、２２は第二収納部２１の裏板、２３，２４は第二収納部２１の側板、２５は第二収納部２１の上板、２６は第二収納部２１の底板、２７ａは開閉蓋部２７の側板１３，１４側及び上板１５側を開閉自在とするジッパ部である。
【００１８】
この布団収納袋１０では、第一収納部１１と第二収納部２１が上面側の可撓性連接部３０を介して連接され、連接された上面部３１に把手部３２が形成されているとともに、下面側には着脱自在な止め部３５が設けられている。実施例では、図示のように、第一収納部１１の上板１５と第二収納部２１の上板２５と可撓性連接部３０とが面一に形成された上面部３１とされ、該上面部３１の略中央位置に把手部３２が形成されている。前記把手部３２の形状は、当該布団収納袋１０の持ち運びが可能となるものであれば特に限定されるものではなく、例えば、図１に示すように帯状部材３２ａの両端を上面部３１に固定して形成したものでも構わない。また、止め部３５は、第一収納部１１と第二収納部２１の下面側を接続する嵌合部材等の適宜の部材で構成され、前記第一収納部１１の裏板１２下面側と、第二収納部２１の裏板２２下面側にそれぞれ設けられている。
【００１９】
当該布団収納袋１０にあっては、図１に図示しかつ請求項２の考案として規定したように、第一収納部１１と第二収納部２１とが、それらの縦辺ａ１，ａ２と横辺ｂ１，ｂ２の長さを共通として、深さ方向に連接されていることが好ましく進められる。これにより、布団収納袋１０全体が、配置場所の面積が比較的小さくて済む略直方体形状となって、保管等に適した形状に構成することができる。
【００２０】
また、この布団収納袋１０では、図１及び図２に図示しかつ請求項３の考案として規定したように、第二収納部２１の深さｃ２を第一収納部１１の深さｃ１より小さく構成することが好ましい。このように、第一収納部１１と第二収納部２１の深さｃ１，ｃ２を異なるようにすれば、異なる厚さの布団を一の布団収納袋１０に収納することが可能となるので、例えば、夏用の薄め布団と春秋用の厚めの布団を収納するというように、季節に応じて使い分けしやすく組み合わせた２枚の布団を一の布団収納袋１０に収納して販売することが可能となる等、消費者のニーズに応えた販売を実施しやすくなり、布団の販売促進を図ることができる。加えて、異なる厚さの布団を個別に収納あるいは取り出しすることが容易であり、季節に応じた適宜の布団の使用及び保管を好適に行うことができる。したがって、前記各収納部１１，２１に、それぞれ異なる厚さの布団を好適に収納することが可能となり、布団の販売促進や季節に応じた布団の収納あるいは取り出しが容易になる等の実用性が向上する。
【００２１】
さらに、この布団収納袋１０は、図１及び図２に図示しかつ請求項４の考案として規定したように、開閉蓋部１７，２７を各収納部１１，２１の連接部３０と反対側の外面側に形成すれば、各開閉蓋部１７，２７の開閉が妨げられることがないので、各収納部１１，２１の布団の収納や取り出しを極めて効率よく行うことができる。また、特に、前記各開閉蓋部１７，２７は、請求項５の考案として規定したように、内部を透視可能な材料によって構成することが好ましい。上記の如く、開閉蓋部１７，２７から各収納部１１，２１内部を透視可能に構成することにより、前記各収納部１１，２１に収納した布団を外側から視認することが可能となるので、当該布団収納袋１０の陳列時に収納されている各布団を、開閉蓋部１７，２７を開放することなく容易に確認することができ、店頭販売に極めて好適に用いることができる。
【００２２】
上記の如く構成された布団収納袋１０では、布団の収納あるいは取り出しを行う場合、まず、図３に示すように、止め部３５を外して可撓性連接部３０部分を軸に第一収納部１１と第二収納部２１とを開いた拡開状態とされて、第一収納部１１あるいは第二収納部２１の開閉蓋部１７，２７が開放され、布団の収納あるいは取り出しが個別に行われる。
【００２３】
布団の収納あるいは取り出しを終えた布団収納袋１０は、図１及び図２に示すように、可撓性連接部３０部分を軸に第一収納部１１と第二収納部２１とが閉じられて、止め部３５によって第一収納部１１の下面側と第二収納部２１の下面側とが連接され、前記第一収納部１１と第二収納部２１との間が開かない状態に固定されて、布団収納袋１０全体が略直方体形状に構成される。そして、この布団収納袋１０は、全体が略直方体形状の状態で適宜の保管場所に整頓して配置される。なお、当該布団収納袋１０は、上面部３１に形成された把手部３２を持つことにより、片手で持ち運ぶことができる。
【００２４】
以上説明したように、当該布団収納袋１０は、各々独立した開閉蓋部１７，２７を備えた第一収納部１１と第二収納部２１とを有することにより、一の収納袋に２枚の布団を個別に収納することが可能であり、しかも、前記第一収納部１１と第二収納部２１が上面側の可撓性連接部３０を介して連接されているため、各布団の収納や取り出しを極めて効率的かつ効果的に行うことができる。加えて、上面部３１に把手部３２が形成されているとともに、下面側には着脱自在な止め部３５が設けられているため、持ち運びも容易であり、保管等の整頓して配置する際にも好適に使用することができる。
【００２５】
なお、本考案の布団収納袋は、前述の実施例のみに限定されるものではなく、考案の趣旨を逸脱しない範囲において構成の一部を適宜に変更して実施することができる。例えば、実施例の布団収納袋では、止め部として嵌合部材を用いたが、これに限らず、面ファスナーやボタン等を用いてもよい。
【００２６】
また、実施例では、各収納部の開閉蓋部を透視可能な材料によって構成したが、各裏板や側板等を適宜透視可能な材料で構成することもできる。
【図面の簡単な説明】
【００２７】
【図１】本考案の一実施例に係る布団収納袋の斜視図である。
【図２】図１の布団収納袋の側面図である。
【図３】図１の布団収納袋の第一収納袋と第二収納袋との拡開状態の斜視図である。
【図４】従来の布団収納袋の斜視図である。
【符号の説明】
【００２８】
１０  布団収納袋
１１  第一収納部
１７  開閉蓋部
２１  第二収納部
２７  開閉蓋部
３０  可撓性連接部
３１  上面部
３２  把手部
３５  止め部
【図１】
0003118668.tif 000003
【図２】
0003118668.tif 000004
【図３】
0003118668.tif 000005
【図４】
0003118668.tif 000006